(57)【要約】【課題】簡易な構成及び小さなスペースで、コネクタを覆うシャッタの開閉動作をドッキング動作に連動させて行うことができるドッキングシステムを提供すること。【解決手段】キャリア２００の底面の異なる位置に第１突起２４１及び第２突起２４２を設け、第１突起２４１によってシャッタ１１１、１１２を閉状態と第１の開状態との間で開閉させ、第２突起２４２によってシャッタ１１１、１１２を第１の開状態とそれよりも開いた第２の開状態との間で開閉させることにより、第１及び第２突起２４１、２４２によってシャッタ１１１、１１２を段階的に開閉するようにした。【選択図】図８
2014164727.tif 000002
【特許請求の範囲】
【請求項１】
一面に、コネクタと、このコネクタを覆うシャッタとが、設けられた第１ユニットと、
前記第１ユニットにドッキングされ、ドッキング時に前記一面に対向する対向面に、前記第１ユニットの前記コネクタに挿入されるコネクタと、前記シャッタを開閉させる開閉部とが、設けられた第２ユニットと、
を有する、ドッキングシステムであって、
前記開閉部は、前記対向面のそれぞれ異なる位置に設けられた第１及び第２突起を有し、
前記第１突起によって前記シャッタを閉状態と第１の開状態との間で開閉させ、前記第２突起によって前記シャッタを前記第１の開状態とそれよりも開いた第２の開状態との間で開閉させることにより、前記第１及び第２突起によって前記シャッタを段階的に開閉する、
ドッキングシステム。
【請求項２】
前記シャッタは、前記第１突起が当接する第１突起当接部と、前記第２突起が当接する第２突起当接部と、を有し、
前記第１突起当接部は、ドッキングする際の前記第２ユニットの方向に向かって、前記第２突起当接部よりも大きく開いている、
請求項１に記載のドッキングシステム。
【請求項３】
前記第１突起当接部は、前記シャッタの縁部に形成され、前記第１突起が当接して、前記シャッタを前記閉状態と前記第１の開状態との間で回動させ、
前記第２突起当接部は、前記シャッタの開口部であり、前記第２突起が当接して、前記シャッタを前記第１の開状態と前記第２の開状態との間で回動させる、
請求項１又は請求項２に記載のドッキングシステム。
【請求項４】
前記第１突起当接部は、前記シャッタが閉状態にある場合でも、少なくとも前記第１突起が進入できる間隔だけ開いた形状である、
請求項１から請求項３のいずれか一項に記載のドッキングシステム。
【発明の詳細な説明】
【技術分野】
【０００１】
本発明は、例えば医療用ポータブルモニタシステムにおけるドッキングシステムに関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移動と一緒に行う必要がある。そこで、ポータブルディスプレイ、データ記憶装置、及び、各種医療機器との通信が可能なインターフェースなどを備えた小型の医療用ポータブルモニタシステム（例えば特許文献１、２参照）が広く用いられている。
【０００３】
このようなポータブルモニタシステムを用いれば、移送中の患者の生体情報も途切れなく記録したり表示したりすることができる。
【０００４】
また、医療用ポータブルモニタシステムにおいては、システムを構成する各装置がドッキング及び取り外し可能に構成されており、これにより、状況に応じて、必要な装置のみを持ち運ぶことができるようになっている。
【先行技術文献】
【特許文献】
【０００５】
【特許文献１】特表平８−５０４３４５号公報
【特許文献２】特表平８−５０４５３１号公報
【発明の概要】
【発明が解決しようとする課題】
【０００６】
ここで、医療用ポータブルモニタシステムにおいては、システムをどのような装置（ユニット）単位に分割して構成するかや、各装置をどのようにドッキングさせるかには、種々の形態が考えられる。
【０００７】
これら多くの形態の中で、ケーブル型のコネクタを用いるのではなく、装置本体に固定されたコネクタ（以下、これを本体一体型コネクタと呼ぶ）を用いて、装置同士のドッキングと同時にコネクタ接続も行うことができる構成を採用すれば、別途ケーブルコネクタを持ち運ぶ必要がないといった利点や、コネクタ接続の手間を低減できるといった利点がある。特に、医療用ポータブルモニタシステムは、緊急時に用いられることも多いので、このような利点が大きく生かされる。つまり、医療用ポータブルモニタシステムでは、ケーブル型のコネクタではなく、本体一体型コネクタを用いることが望ましい。
【０００８】
さらに、本体一体型コネクタを採用する場合には、コネクタへのゴミ又は埃などの進入の防止や、コネクタに何らかの物体をぶつけることによるコネクタの損傷の防止、医療機器における電気的安全性の確保のために、コネクタを開閉自在に覆うシャッタを設けることが望ましい。
【０００９】
このシャッタの開閉を、ドッキング動作とは別にユーザによって行う構成とするのではなく、ドッキング動作に連動して行うことができる構成とすれば、ドッキングを迅速かつ容易に行うことができ便利である。
【００１０】
本発明は、以上の点を考慮してなされたものであり、簡易な構成かつ小さなスペースで、コネクタを覆うシャッタの開閉動作をドッキング動作に連動させて行うことができるドッキングシステムを提供する。
【課題を解決するための手段】
【００１１】
本発明のドッキングシステムの一つの態様は、
一面に、コネクタと、このコネクタを覆うシャッタとが、設けられた第１ユニットと、
前記第１ユニットにドッキングされ、ドッキング時に前記一面に対向する対向面に、前記第１ユニットの前記コネクタに挿入されるコネクタと、前記シャッタを開閉させる開閉部とが、設けられた第２ユニットと、
を有する、ドッキングシステムであって、
前記開閉部は、前記対向面のそれぞれ異なる位置に設けられた第１及び第２突起を有し、
前記第１突起によって前記シャッタを閉状態と第１の開状態との間で開閉させ、前記第２突起によって前記シャッタを前記第１の開状態とそれよりも開いた第２の開状態との間で開閉させることにより、前記第１及び第２突起によって前記シャッタを段階的に開閉する。
【発明の効果】
【００１２】
本発明によれば、簡易な構成かつ小さなスペースで、コネクタを覆うシャッタの開閉動作をドッキング動作に連動させて行うことができる。
【図面の簡単な説明】
【００１３】
【図１】実施の形態に係る医療用ポータブルモニタシステムの全体構成を示す斜視図
【図２】一体とされた医療用ポータブルモニタシステムを前面斜め方向から見た斜視図
【図３】一体とされた医療用ポータブルモニタシステムを背面斜め方向から見た斜視図
【図４】キャリアを下面斜め方向から見た斜視図
【図５】ポータブルディスプレイを背面斜め方向から見た斜視図
【図６】第１及び第２突起がシャッタに到達する前の状態を示す図であり、図６Ａは第１突起を含んで切った部分的断面図、図６Ｂは第２突起を含んで切った部分的断面図
【図７】シャッタの第１突起当接部が第１突起に当接を開始したときの状態を示す図であり、図７Ａは第１突起を含んで切った部分的断面図、図７Ｂは第２突起を含んで切った部分的断面図
【図８】シャッタの第１突起当接部が第１突起の傾斜面に沿って摺動してシャッタを押し広げたときの状態を示す図であり、図８Ａは第１突起を含んで切った部分的断面図、図８Ｂは第２突起を含んで切った部分的断面図
【図９】第２突起がシャッタ本体の開口端部に当接を開始したときの状態を示す図であり、図９Ａは第１突起を含んで切った部分的断面図、図９Ｂは第２突起を含んで切った部分的断面図
【図１０】シャッタがコネクタを接続可能な位置まで押し広げられた状態を示す図であり、図１０Ａは第１突起を含んで切った部分的断面図、図１０Ｂは第２突起を含んで切った部分的断面図
【発明を実施するための形態】
【００１４】
以下、本発明の実施の形態について、図面を参照して詳細に説明する。
【００１５】
＜医療用ポータブルモニタシステムの全体構成＞
図１は、本発明の実施の形態に係る医療用ポータブルモニタシステムの全体構成を示す分解斜視図である。
【００１６】
医療用ポータブルモニタシステム１は、ベースユニット１００と、バッテリ付きキャリア（以下、単にキャリアと呼ぶ）２００と、インプットボックス３００と、ポータブルディスプレイ４００と、から構成される。ベースユニット１００はキャリア２００とドッキング可能とされ、キャリア２００はインプットボックス３００及びポータブルディスプレイ４００とドッキング可能とされている。これにより、医療用ポータブルモニタシステム１は、ベースユニット１００、キャリア２００、インプットボックス３００及びポータブルディスプレイ４００が一体となることが可能である。
【００１７】
図２及び図３に、全てのユニットがドッキングして一体となったときの様子を示す。図２は、一体とされた医療用ポータブルモニタシステム１を前面斜め方向から見た斜視図であり、図３は、一体とされた医療用ポータブルモニタシステム１を背面斜め方向から見た斜視図である。
【００１８】
ベースユニット１００は、ＡＣコンバータなどからなる電源ユニットや、バッテリ及び各種の入出力端子などを有する。また、ベースユニット１００の上面には、コネクタ部１１０及びロック部１３０が設けられている。このコネクタ部１１０及びロック部１３０は、図４に示すような、キャリア２００の下面に設けられた、コネクタ部２４０及びロック部２６０に係合する。因みに、ベースユニット１００のコネクタ部１１０は、コネクタ（図示せず）が開閉自在のシャッタ１１１、１１２によって覆われており、このシャッタ１１１、１１２は、キャリア２００がベースユニット１００にドッキングされる際にキャリア２００の下面に設けられた突起２４１、２４２によって開状態とされるようになっている。
【００１９】
キャリア２００は、バッテリを内蔵する。キャリア２００は、インプットボックス３００及びポータブルディスプレイ４００とドッキングしたときに、インプットボックス３００及びポータブルディスプレイ４００に電源を供給する。キャリア２００とポータブルディスプレイ４００のドッキングは、図５に示すように、ポータブルディスプレイ４００の背面に突設された差込部４１０を、キャリア２００に形成された差込口２１０に、キャリア２００の上方から挿し込むことで行われる。キャリア２００とインプットボックス３００のドッキングは、キャリア２００の側方からインプットボックス３００を差し込み、スライドさせることにより行われる。
【００２０】
キャリア２００には取っ手２０１が設けられており、ユーザは取っ手２０１を握ってキャリア２００を持ち運ぶことができる。通常、ユーザは、キャリア２００にインプットボックス３００をドッキングさせた状態で（場合によってはポータブルディスプレイ４００もドッキングさせて）、患者の移動に合わせてキャリア２００を持ち運び、患者の生体情報をインプットボックス３００に記録する。そして、充電が必要になったときや、据置型として用いる場合などに、キャリア２００をベースユニット１００にドッキングさせる。
【００２１】
インプットボックス３００は、複数の端子３０１を有し、この端子３０１を介して心電電極、血圧測定用カフなどの種々の医療センサに接続可能となっている。また、インプットボックス３００は、記憶部を有し、端子３０１から入力したセンシング結果を基に計測した心電図、血圧、呼吸回数、脈拍などの生体情報を記憶できるようになっている。
【００２２】
本実施の形態では、インプットボックス３００は、キャリア２００とドッキングされるとキャリア２００から電源が供給されるので、患者の移送時などにも患者の生体情報をインプットボックス３００に記憶させることができるようになる。この結果、途切れのない生体情報を記録できる。
【００２３】
ポータブルディスプレイ４００は、表示部４０１がタッチパネル構成となっている。また、ポータブルディスプレイ４００は、上部にインジケータ４０２が設けられ、このインジケータ４０２は患者の生体情報に基づいて患者の容体が危険になった場合などに点灯するようになっている。さらに、図５に示すように、ポータブルディスプレイ４００の背面には取っ手４０３が設けられており、ユーザは取っ手４０３を握ってポータブルディスプレイ４００を持ち運ぶことができる。
【００２４】
＜ベースユニットのシャッタを開閉させる機構＞
図１に示したように、ベースユニット１００の上面にはコネクタ部１１０が設けられている。コネクタ部１１０は、コネクタ１１３（例えば図６Ｂ）が開閉自在のシャッタ１１１、１１２によって覆われている。また、図４に示したように、キャリア２００の下面には、コネクタ部２４０が設けられている。コネクタ部２４０は、ベースユニット１００のコネクタ１１３に接続されるコネクタ２４３と、シャッタ１１１、１１２を開閉させるための第１突起２４１及び第２突起２４２とから構成されている。
【００２５】
第１突起２４１は、コネクタ２４３を挟んで配置された２つの山形形状の突起である。第２突起２４２は、コネクタ２４３を挟んで配置された４つの三角形形状の突起である。第１突起２４１は、第２突起２４２よりも高い。
【００２６】
また、第１突起２４１及び第２突起２４２は、いずれも、キャリア２００の最下面つまり載置面２０２よりも上方（つまりキャリア２００の内方側）に引っ込んだ高さとなっている。つまり、キャリア２００を置いたときに、第１及び第２突起２４１、２４２がキャリア２００を載置した面にぶつからないようになっている。このことは換言すると、第１及び第２突起２４１、２４２の高さには制限があることを意味する。
【００２７】
ユーザがベースユニット１００上にキャリア２００を載置すると、ロック部１３０、２６０によってベースユニット１００上にキャリア２００が位置決め及びロックされると共に、コネクタ部１１０、２４０によってシャッタ１１１、１１２が開状態とされ、さらにコネクタ１１３、２４３が接続される。
【００２８】
図６、図７、図８、図９及び図１０は、第１及び第２突起２４１、２４２の構成、第１及び第２シャッタ１１１、１１２の構成、及びそれらの動作を示す部分的断面図である。図６−図１０は、ベースユニット１００上にキャリア２００を載置させたときの、第１突起２４１によるシャッタ１１１、１１２の開動作（図６Ａ、図７Ａ、図８Ａ、図９Ａ、図１０Ａ）及び第２突起２４２によるシャッタ１１１、１１２の開動作（図６Ｂ、図７Ｂ、図８Ｂ、図９Ｂ、図１０Ｂ）を示すものである。図６Ａ、図７Ａ、図８Ａ、図９Ａ、図１０Ａは、図４及び図１の一点鎖線Ｃ１で示すような、第１突起２４１を含む面で第１突起２４１及びシャッタ１１１、１１２を切った断面図である。また、図６Ｂ、図７Ｂ、図８Ｂ、図９Ｂ、図１０Ｂは、図４及び図１の一点鎖線Ｃ２で示すような、第２突起２４２を含む面で第２突起２４２及びシャッタ１１１、１１２を切った断面図である。
【００２９】
シャッタを構成する第１シャッタ１１１及び第２シャッタ１１２は、それぞれ、回転軸１１１ａ、１１２ａによって図中の矢印で示す開方向及びそれとは逆の閉方向に回転自在に支持されている。また、回転軸１１１ａ、１１２ａには、コイルばねが設けられており、第１シャッタ１１１及び第２シャッタ１１２は、このコイルばねによって矢印とは反対の閉方向に常に付勢されている。因みに、本実施の形態では、第１及び第２シャッタ１１１、１１２は、歯車１１１ｂ、１１２ｂによって連結されており、これにより、互いの開閉動作が連動するようになっている。よって、本実施の形態の場合には、第１シャッタ１１１及び第２シャッタ１１２の両方をばねにより付勢しなくても一方のみを付勢してもよい。
【００３０】
また、シャッタ１１１、１１２の両端の縁部には、キャリア２００のドッキング時に、第１突起２４１が入り込む第１当接部２４４が形成されている。第１突起当接部２４４は、上方にいくに従って大きく開いた扇形の形状を有する。これにより、シャッタ１１１、１１２が閉状態であった場合でも、第１突起当接部２４４の先端は開いた状態となっており、第１突起２４１がこの開いた状態の第１突起当接部２４４の面に当接してシャッタ１１１、１１２を押し広げることができる。この第１突起当接部２４４は、シャッタ１１１、１１２が閉状態にある場合でも、少なくとも第１突起２４１が進入できる間隔だけ開いている。
【００３１】
まず、ユーザは、キャリア２００を持って、ベースユニット１００の上方から近づけていく。図６は、第１及び第２突起２４１、２４２がシャッタ１１１、１１２に到達する前の状態を示す。さらに、キャリア２００を下げると、図７に示す状態となる。図７Ａに示すように、シャッタ１１１、１１２の第１突起当接部２４４が第１突起２４１に当接する。このとき第２突起２４２は、図７Ｂに示すように、未だシャッタ１１１、１１２に到達していない。
【００３２】
図７の状態からさらにキャリア２００を下げると、図８の状態となる。図８Ａに示すように、シャッタ１１１、１１２は、第１突起当接部２４４の先端の当接部分が第１突起２４１の傾斜面に沿って摺動することで、第１突起２４１により押し広げられる。このとき第２突起２４２は、図８Ｂに示すように、未だシャッタ１１１、１１２に到達していない。
【００３３】
図８の状態からさらにキャリア２００を下げると、図９の状態となる。図９Ａに示すように、シャッタ１１１、１１２の第１突起当接部２４４の当接部分は、第１突起２４１の斜面を超えた位置まで摺動する。このとき第２突起２４２は、図９Ｂに示すように、シャッタ１１１、１１２の開口端部に当接する。この状態以降、シャッタ１１１、１１２は、第２突起２４２の下降に伴って、第２突起２４２によって押し広げられる。
【００３４】
図９の状態からさらにキャリア２００を下げると、図１０の状態となる。図１０Ｂに示すように、シャッタ１１１、１１２の開口端部は、第２突起２４２の斜面を超えてキャリア２００の底面まで摺動する。このようにして、シャッタ１１１、１１２は、コネクタ接続が可能な状態まで押し広げられる。
【００３５】
図１０の状態からさらにキャリア２００を下げると、ベースユニット１００のコネクタ１１３にキャリア２００のコネクタ２４３が接続される。
【００３６】
ベースユニット１００からキャリア２００を離脱させると、シャッタ１１１、１１２は、図１０、図９、図８、図７、図６の順序で、開状態から閉状態へと遷移する。
【００３７】
以上説明したように、本実施の形態によれば、キャリア２００の底面の異なる位置に第１突起２４１及び第２突起２４２を設け、第１突起２４１によってシャッタ１１１、１１２を閉状態と第１の開状態との間で開閉させ、第２突起２４２によってシャッタ１１１、１１２を第１の開状態とそれよりも開いた第２の開状態との間で開閉させることにより、第１突起２４１及び第２突起２４２によってシャッタ１１１、１１２を段階的に開閉するようにした。これにより、簡易な構成で、コネクタ１１３を覆うシャッタ１１１、１１２の開閉動作をドッキング動作に連動させて行うことができるようになる。また、シャッタ１１１、１１２の開閉を複数の突起２４１、２４２に分担させたので、突起２４１、２４２の高さが低くてもシャッタ１１１、１１２を大きく広げることができるようなる。つまり、突起２４１、２４２のおのおのが低くても、その合計の高さに相当するストロークでシャッタ１１１、１１２を開閉できるようになる。この結果、キャリア２００底面にシャッタ１１１、１１２を開閉するための大きなスペースを確保しなくても済むようになる。
【００３８】
なお、上述の実施の形態では、第１突起２４１及び第２突起２４２の２種類の突起を用いて２段階でシャッタ１１１、１１２を開閉させた場合について述べたが、同様にして、３種類以上の突起を用いて３段階以上でシャッタを開閉させてもよい。
【００３９】
また、上述の実施の形態では、第１突起２４１は突起当接部２４４に当接し、第２突起２４２はシャッタ１１１、１１２本体の開口部分に当接する構成としたが、要は、シャッタ側に、ドッキングする際のキャリア２００の方向に向かって、開いている角度が異なる複数の突起当接部を設け、開いている角度が大きい突起当接部から順に突起を当接させていけば、段階的にシャッタを開状態とすることができる。実際に、上述の実施の形態においては、第１突起２４１が当接する突起当接部２４４は、第２突起２４２が当接する突起当接部（実施の形態の場合には、シャッタ本体の開口）よりも、ドッキングする際のキャリア２００の方向に向かって大きく開いている。
【００４０】
また、上述の実施の形態では、ドッキングのユニットがベースユニット１００とキャリア２００である場合について述べたが、ドッキングするユニットはこれに限らない。さらに、上述の実施の形態では、本発明によるドッキングシステムを医療用ポータブルモニタシステムに適用した場合について述べたが、本発明によるドッキングシステムは、一面に、コネクタと、このコネクタを覆うシャッタとが、設けられた第１ユニットと、この第１ユニットにドッキングされ、ドッキング時に前記一面に対向する対向面に、第１ユニットのコネクタに挿入されるコネクタと、シャッタを開閉させる開閉部とが、設けられた第２ユニットと、を有する、ドッキングシステムに、広く適用可能である。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４２】
本発明は、医療用ポータブルモニタシステムのドッキングシステムに適用し得る。
【符号の説明】
【００４３】
１  医療用ポータブルモニタシステム
１００  ベースユニット
１１０  コネクタ部
１１１、１１２  シャッタ
１１３、２４３  コネクタ
１３０  ロック部
２００  キャリア
２０１、４０３  取っ手
２１０  差込口
２４０  コネクタ部
２４１  第１突起
２４２  第２突起
２６０  ロック部
３００  インプットボックス
３０１  端子
４００  ポータブルディスプレイ
４０１  表示部
４０２  インジケータ
【図１】
2014164727.tif 000003
【図２】
2014164727.tif 000004
【図３】
2014164727.tif 000005
【図４】
2014164727.tif 000006
【図５】
2014164727.tif 000007
【図６】
2014164727.tif 000008
【図７】
2014164727.tif 000009
【図８】
2014164727.tif 000010
【図９】
2014164727.tif 000011
【図１０】
2014164727.tif 000012